(57)【特許請求の範囲】
【請求項１】
擁壁或いは側溝のコンクリート製のブロックを基礎部に固定するブロック固定用金具であって、
ブロックの側壁底面に取着される硬質材からなる基部に、別の鉄筋を通すため屈曲形成した鉄筋又は波状に加工された鉄筋を突出するように取り付けられてなる延設部を有することを特徴とするブロック固定用金具。
【請求項２】
請求項１記載のブロック固定用金具を用いて擁壁或いは側溝のコンクリート製のブロックを基礎部に固定する方法であって、
前記ブロック固定用金具の基部をブロックの底面に取着して、波状若しくは屈曲状に形成されたその間に別の鉄筋を通し、
その周囲に、該ブロック固定用金具の延設部を含むようにコンクリートを打設して硬化させることを特徴とするブロックを基礎部に固定する方法。
【発明の詳細な説明】
【０００１】
【発明の属する技術分野】
本発明は、Ｕ字側溝、Ｌ字側溝、ボックスカルバート、基礎ブロック等のプレキャスト型ブロックを、敷設すべき場所に上下方向及び水平方向のズレを防止して強固に固定することができるとともに、その敷設作業を容易にすることができるブロック固定用の金具に関する。
【０００２】
【従来の技術】
従来より、側溝ブロック、ＢＯＸカルバート、その他のコンクリート製ブロックを地面に設置する場合は、採石等の基礎材を敷き詰めた地面上に生コンクリートを打ち込んでベースを形成し、このベースが硬化した後、砂やモルタル等を敷いて平面を形成し、そして、側溝用ブロック等のプレキャスト型のブロックを載せ、周囲に生コンクリートを打ち込んで、側溝ブロック等のブロックをベースを介して地面に固定している。これらブロックと基礎コンクリートとの一体化工程、つまりブロックを基礎部へ固着する工程においては、インバートコンクリートをブロック製品内又は製品外へ打設し硬化させることにより基礎コンクリートと一体化させる工法が採用されている。
【０００３】
しかしながら、上記コンクリートでブロックを打設することにより基礎コンクリートとブロックとを一体化させる工法にあっては、水平方向に対しては比較的その変動（ズレ）を阻止して設置強度を確保することができるものの、上下方向に対しては、変動を阻止するのがブロックとインバートコンクリートとの界面による連結のみとなるため、変動抑止力は非常に弱く衝撃等により容易に変動し沈下や浮き上がりその他のズレ等が発生してしまうのである。さらに、長時間風雨にさらされるため、この界面にクラックが発生しやすく、さらにこうしたクラックに雨等の水分のしみこみ等が起こり完全に隙間が開くこともあった。
【０００４】
こうした状態を解決するために、従来においては、図１９に示すようにブロックの壁面にあらかじめ孔を穿設しておき、この孔に鉄筋等を水平にはめ込んだ後で現場打ちコンクリートを打設し、この鉄筋ごとコンクリートで固定することにより水平方向のみならず上下方向等についての変動をも阻止する方法が採られてきた。
【０００５】
しかしながら、この従来の方法においても、穿設された孔に鉄筋を挿し込むだけであるため、ブロックと鉄筋は直接に連結されていないものである。すなわち、ブロックに穿設された孔径は鉄筋径よりも大であるから、この孔と挿通された鉄筋との間に隙間が生じることになる。しかし、この隙間には図２０に示すようにコンクリートが流れ込むことができないので、鉄筋とコンクリートは確実に連結固定されるものの、ブロックとコンクリートの固定は、結局界面のみでの固定となるのである。従って、鉄筋により孔径以上の変動は防止されるという一定幅での変動阻止効果はあるものの、結局上下方向の完全な変動を防止することができず、長時間の使用によりクラック及び隙間が生じてくるといった問題が生じていたのである。
【０００６】
さらに、こうした鉄筋等の棒状体は、あらかじめはめ込んでおくことはできないので、現場でブロックを基礎部に設置した後に穿設された孔に一本ずつはめ込む必要がある。従って、その作業が非常に煩雑であるとともに、時間がかかるという問題点をも有していた。
【０００７】
【発明が解決しようとする課題】
そこで、本発明は以上のような問題点を鑑みてなされたもので、本発明者が解決しようとする課題は、Ｕ字側溝ブロック等を水平方向及び上下方向を問わず強固かつ確実に固定することができるブロック固定用金具及びブロックを基礎部に固定する方法を提供することにあり、さらに、現場打ちコンクリートの打設前であればブロックを設置する工程の前後を問わず取り付けることができ、作業が容易で作業時間を短縮することができるブロック固定用金具及びブロックを基礎部に固定する方法をも提供することにある。
【０００８】
【課題を解決する手段】
以上のような問題を解決するために請求項１に係る発明が採った手段は、「擁壁或いは側溝のコンクリート製のブロック１０を基礎部に固定するブロック固定用金具であって、ブロック１０の側壁底面に取着される硬質材からなる基部２０に、別の鉄筋を通すため屈曲形成した鉄筋又は波状に加工された鉄筋１６を突出するように取り付けられてなる延設部３０を有することを特徴とするブロック固定用金具１００。」とするものである。
＠
さらに、請求項２に係る発明が採った手段は、「請求項１記載のブロック固定用金具を用いて擁壁或いは側溝のコンクリート製のブロック１０を基礎部に固定する方法であって、前記ブロック固定用金具１００の基部２０をブロック１０の底面に取着して、波状若しくは屈曲状に形成されたその間に別の鉄筋１６を通し、
その周囲に、該ブロック固定用金具１００の延設部を含むようにコンクリートを打設して硬化させることを特徴とするブロックを基礎部に固定する方法」とするものである。
【０００９】
【発明の実施の形態】
ブロック固定用金具は、ブロックに直接固定される基部とその基部からブロックの周囲に延設される延設部とを備えている。そして、この延設部にコンクリートを打設して、延設部とコンクリートとを固定することにより、この延設部を固定しているブロック自体をも確実に固定させるものである。従って、基部自体の形状は特に限定されるものではなく、ブロックに確実に固定される形状であれば、板状体、棒状体等いかなる形状を有していても構わないものである。また、延設部は、屈曲形成した鉄筋又は波状に加工された鉄筋が、板材から突出するように取り付けられてなる。この屈曲又は波状の突出部分が延設部を形成している。
【００１０】
【実施例】
以下、本発明の最適な実施例を図に従って説明する。
（実施例１）実施例１が図１に示されている。この実施例１の固定用金具１００は、板材２１からなる基部２０に、屈曲形成した鉄筋３４又は波状に加工された鉄筋３４が、鉄筋の凸部が板材２１から突出するように取り付けられている。この屈曲又は波状の突出部分が延設部３０を形成している。
【００１１】
次に、以上のように形成されたブロック固定用金具１００をブロック１０に取着する方法について示す。
【００１２】
（実施例Ａ−１）図２、３には、実施例１に記載された固定用金具１００を固定する方法が示されている。取付用部材４０にボルトを使用してブロック固定用金具１００の取付用孔４１を介して、側溝用ブロック１０にあらかじめ形成された取着孔に固定する。このようにボルトでブロック固定用金具１００をブロック１０に確実に固定しておくことにより、延設部３０はブロック１０に一体的に固定されることになる。この実施例Ａ−１においては、さらに固定用金具１００を確実にブロック１０に固定するために、ブロック１００内部に埋設されている鉄筋１５と取付用部材４０との中間に互いを固定する継手４２が形成されており、この継手４２に取付部材４０を固定している。このようにすれば、取付用部材４０と内部に固定された鉄筋とが結合されることになり、確実な固定を行うことができる。また、実施例１のように、延設部３０の端部が波状若しくは屈曲状に形成してあれば、その間に別の鉄筋１６を通すことができる。このような鉄筋１６も同時にコンクリートで固定することにより、より確実な固定を行うことができる。このように別に鉄筋を通す方法によれば、例えば、あらかじめこの固定用金具１００をブロック１０に工場等で取り付けておき、工事現場において鉄筋を容易に挿し込むことにより適宜対応することができる。また、別の鉄筋を自在に設置、変更することができるとともに、その使用形態、例えば鉄筋の数、長さ等をその使用状況等に応じて容易に適宜選択することができるようになる。
【００１３】
【参考例】
次に、参考として、種々の固定用金具及びその取着方法について、参考例をあげておく。
【００１４】
（参考例１）図４には、参考例１のブロック固定用金具１００の斜視図が示されている。参考例１の固定用金具１００は、板材２１からなる基部２０とその板材２１から垂直に凸設して形成された棒状体３１からなる延設部３０を複数有している。さらに、板材２１には、該ブロック固定用金具１００をブロック１０に固定するための別体に形成された取付用部材４０を通すための取付用孔４１が形成されている。なお、延設部３０は一本であっても構わないが、延設部３０をブロック１０に取着するときの取付工数を減少させるためには、複数形成されていることが望ましい。また、図５に示したように板材２１の両面に棒状体３１を形成しても構わない。
【００１５】
（参考例２）図６には、ブロック固定用金具１００の参考例２が示されている。これは参考例１の棒状体３１からなる延設部３０の代わりに板状の平面板３２としたものであり、この平面板３２を複数平行に併設させてある。このように延設部３０に平面板３２を使用すれば、コンクリートが打設された際のコンクリートとの接触面積も大きくなり接着性が高まるため、水平方向の変動を効果的に防止することができる。なお、平面板３２は、図６のように平行に形成する必要はなく、その向きは自由に採りうる。例えば、複数の平面板３２の一部を平面が水平になる様に形成すれば（図示しない）上下方向の変動も確実に防止することができるようになる。
【００１６】
（参考例３〜５）図７〜９には、参考例３〜５が示されている。参考例３〜５では、板材２１からなる基部２０の上面が垂直に屈曲した断面略Ｌ字形状のものを使用している。そして、屈曲面２２の上面又は下面に参考例１又は参考例２に示したような棒状体３１（図７）又は平面板３２（図８、９）からなる延設部３０を延設させたものである。このように形成すれば、屈曲面２２により板材２１とコンクリートとの間の接触面積を増やし接着性が高くすることができるとともに、上面の屈曲面２２にコンクリートが打設されることにより、上下方向の変動をより効果的に防止することができるようになる。
【００１７】
（参考例６）さらに、図１０には、参考例６が示されている。参考例６では基部２０自体が屈曲して形成したものを用いてある。このように基部２０を屈曲させておくことで、コンクリートとの接着性が高まるとともに、屈曲部２３によりさらに確実にブロック１０の移動を防止することができるようになる。
【００１８】
（参考例７）図１１には、参考例７が示されている。この参考例７は、先述の参考例２に記載された平面板３２からなる固定用金具１００の延設部３０の一部に貫通孔３３が形成されている。この貫通孔３３には、線材５０を通すことができるようになっている。この線材５０を通した後にコンクリートを打設することにより、線材５０もコンクリートにより固定されることになり、ブロック固定用金具１００の変動をさらに防止でき確実に固定することができる。
【００１９】
（参考例８）さらに、参考例８では、図１２に示すように参考例７の線材５０をより容易に取着することができるように、平面板３２に上方が開口するように溝３４を形成しておき、線材５０を上面から溝３４に載置することができるようにしたものである。このように溝３４を形成しておけば、参考例７の様に線材５０を側方から順次平面板３２に通すという煩わしさを解消することができ、より容易に作業を行うことができるようになる。
【００２０】
次に、以上のように形成されたブロック固定用金具１００をブロック１０に取着する方法について示す。
【００２１】
（参考例Ａ−１）参考例１から参考例８に記載されたブロック固定用金具１００を、図１３に示すように、取付用部材４０にボルトを使用してブロック固定用金具１００の取付用孔４１を介して、側溝用ブロック１０の側面にあらかじめ形成された取着孔１１に固定する。このようにボルトでブロック固定用金具１００をブロック１０に確実に固定しておくことにより、延設部３０はブロック１０に一体的に固定されることになる。なお、図１３では、ブロック１０の例示として側溝ブロックを用いているが、擁壁用ブロック、ボックスカルバート等土木に使用されるプレキャスト型のブロックであれば、すべて使用することができる。
【００２２】
（参考例Ａ−２）さらに、参考例１のように棒状体３１で延設部３０が形成されているものにおいては、図１４に示すように、棒状体３１を通すために取着用孔部１２をあらかじめブロック１０の側面に形成しておき、取着用孔部１２に棒状体３１を通して両脇の取付用孔４１をボルトで固定する。このようにブロック固定用金具１００を固定すれば、ブロック固定用金具１００を固定する側と反対側の壁面に延設部３０を形成することができるようになる。さらに、参考例１の図５に示したような板材２０の両面に延設部３０が形成されたブロック固定用金具１００を使用すれば、ブロック壁面の両側に延設部３０が形成され両面からコンクリートにより固定することができるようになる（図示しない）。
【００２３】
（参考例Ａ−３）図１５にはブロック固定用金具１００を固定するための取付用部材４０自体が延設部３０を形成することができるようになっている。これには、図１６のアンカータイプのものやＬ字型の鉄筋タイプのもの等が考えられるが、その使用方法や使用用途に応じて適宜使用され、その形状も特に限定されるものではない。このような取付用部材４０を使用すれば、ブロック固定用金具１００を固定すると同時に延設部３０が形成され、この取付用部材４０自体においてもブロック１０を固定する機能も果たすことができる。
【００２４】
（参考例Ａ−４）図１７には、隣接したブロック１００を基礎部に設置固定する方法が示されている。参考例Ａ−４では、隣接したブロック１００を跨ぐように、参考例１〜８に記載されたブロック固定用金具１００を固定することにより、隣接したブロック１０を互いに固定しつつ、延設部３０をブロック１０に形成させることができる。このようにブロック固定用金具１００を取着することにより、ブロック１０を基礎部に確実に固定する機能を有するとともに、隣接したブロック１０同士を固定する機能をも有するものとすることができる。
【００２５】
なお、以上の参考例Ａ−１〜４に記載されたブロック固定用金具１００の取付は、工事現場においてブロック１０を設置位置に載置した後に取着しても構わないし、ブロック１０を現場に運ぶ前に工場等であらかじめ固定しておいても構わない。
【００２６】
さて、以上のようにブロック固定用金具１００が取着されたブロック１０は、ブロック１０が設置される基礎部に載置され、図１８に示されるように、このブロック固定用金具１００の延設部３０を含むようにブロック１０の周囲にコンクリートを打設固定することにより、ブロック１０を基礎部に固定する。以上のように延設部を含むように固定することにより、ブロック固定用金具１００は、ブロック１０に確実に固定されているので、ブロック１０の側方への移動はコンクリートとブロック側面及び延設部３０により確実に固定され、上下方向の移動は延設部３０により確実に固定することができ、ブロック１０の水平方向及び上下方向のあらゆる方向の変動を確実に防止することができるのである。
【００２７】
【発明の効果】
本発明に係るブロック固定用金具によれば、延設部をコンクリートで固定することによりブロックの水平方向及び上下方向の変動を防止でき、確実に基礎部に固定することができるようになる。
【００２８】
さらに、本発明に係るブロック固定用金具によれば、延設部を複数形成することにより、ブロックの変動をさらに、確実なものとすることができるとともに、各延設部を個々に設置する必要がなく、一度に多くの延設部を形成することができるためブロックの基礎部への設置作業が容易かつ迅速に行うことができる。
【００２９】
さらに、本発明に係る取付用部材によれば、ブロック固定用金具を固定するのみで、この固定用金具自体が延設部を形成することができるため、コンクリートにより固定される部分が増え、さらにブロックを確実に固定することができるようになる。
【００３０】
さらに、本発明に係るブロックを基礎部に固定する方法によれば、ブロック固定用金具をブロックに取着した後は、単に、ブロックを基礎部に設置してコンクリートを打設するだけで、ブロックを確実に基礎部に固定することができ、非常に容易かつ迅速な作業を行うことができる。
【００３１】
【図面の簡単な説明】
【図１】本発明に係るブロック固定用金具の実施例１を示す斜視図である。
【図２】本発明に係るブロック固定用金具の取付方法の実施例Ａ−１を示す斜視図である。
【図３】本発明に係るブロック固定用金具の取付方法の実施例Ａ−１を示す側面断面図である。
【図４】ブロック固定用金具の参考例１を示す斜視図である。
【図５】ブロック固定用金具の参考例１を示す斜視図である。
【図６】ブロック固定用金具の参考例２を示す斜視図である。
【図７】ブロック固定用金具の参考例３を示す斜視図である。
【図８】ブロック固定用金具の参考例４を示す斜視図である。
【図９】ブロック固定用金具の参考例５を示す斜視図である。
【図１０】ブロック固定用金具の参考例６を示す斜視図である。
【図１１】ブロック固定用金具の参考例７を示す斜視図である。
【図１２】ブロック固定用金具の参考例８を示す斜視図である。
【図１３】ブロック固定用金具の取付方法の参考例Ａ−１を示す斜視図である。
【図１４】ブロック固定用金具の取付方法の参考例Ａ−２を示す斜視図である。
【図１５】ブロック固定用金具の取付方法の参考例Ａ−３を示す斜視図である。
【図１６】ブロック固定用金具の取付方法の参考例Ａ−３に使用する取付用部材を示す斜視図である。
【図１７】ブロック固定用金具の取付方法の参考例Ａ−４を示す斜視図である。
【図１８】ブロックを基礎部へ固定する方法を示す側方断面図である。
【図１９】従来に係るブロックの基礎部への固定方法を示す側方断面図である。
【図２０】従来に係るブロックの基礎部への固定方法を示す側方断面図である。
【符号の説明】
１０      ブロック
２０      基部
３０      延設部
４０      取付用部材
１００    ブロック固定用金具
【図１】
0003546251.tif 000002
【図２】
0003546251.tif 000003
【図３】
0003546251.tif 000004
【図４】
0003546251.tif 000005
【図５】
0003546251.tif 000006
【図６】
0003546251.tif 000007
【図７】
0003546251.tif 000008
【図８】
0003546251.tif 000009
【図９】
0003546251.tif 000010
【図１０】
0003546251.tif 000011
【図１１】
0003546251.tif 000012
【図１２】
0003546251.tif 000013
【図１３】
0003546251.tif 000014
【図１４】
0003546251.tif 000015
【図１５】
0003546251.tif 000016
【図１６】
0003546251.tif 000017
【図１７】
0003546251.tif 000018
【図１８】
0003546251.tif 000019
【図１９】
0003546251.tif 000020
【図２０】
0003546251.tif 000021